(57)【要約】【課題】妊娠時の腹部を安定して保持できるうえ産後においてもスタイリッシュに着用できるマタニティ用ボトムスを提供する。【解決手段】広幅なゴム紐を挿入して伸縮自在とした腹部の下部を支える広幅なリブ部２をボトムス本体１の上端に備えてなり、前記リブ部２の内側に伸縮できる生地よりなる前面３１を高くして該前面３１の両側に続く側面３２、３２を後に向けて低くなるように構成した腹部保護覆い部３を該腹部保護覆い部３の下縁３ａを前記ボトムス本体１の上端内縁１１に逢着して設ける。【選択図】図１
0003213890.tif 000002
【実用新案登録請求の範囲】
【請求項１】
広幅なゴム紐を挿入して伸縮自在とした腹部の下部を支える広幅なリブ部をボトムス本体の上端に備えたものであって、前記リブ部の内側に伸縮できる生地よりなる前面を高くして該前面の両側に続く側面を後に向けて低くなるように構成した腹部保護覆い部を該腹部保護覆い部の下縁を前記ボトムス本体の上端内縁に逢着して設けたことを特徴とするマタニティ用ボトムス。
【請求項２】
前記広幅なリブ部の幅が６０ｍｍ〜８０ｍｍである請求項１に記載のマタニティ用ボトムス。
【請求項３】
前記伸縮できる生地がベア天竺生地である請求項１又は２に記載のマタニティ用ボトムス。
【請求項４】
前記ボトムス本体がパンツである請求項１又は２又は３に記載のマタニティ用ボトムス。
【請求項５】
前記ボトムス本体がスカートである請求項１又は２又は３に記載のマタニティ用ボトムス。
【考案の詳細な説明】
【技術分野】
【０００１】
本考案は、パンツやスカートの上部に妊婦の腹部を覆う腹部保護覆い部を備えたマタニティ用ボトムスに関するものである。
【背景技術】
【０００２】
マタニティ用ボトムスは、特許文献１のような妊婦の妊娠初期から産前までの月数の経過による腹部の膨らみに対応するように、腹部を覆う部分を伸縮自在な生地よりなるものとしたものが普通であった。
【０００３】
しかし、マタニティ用ボトムスは産後において体形が産前の状態に戻る間にも着用するものであり、その場合、腹部を覆う部分が露出してスタイリッシュに着こなすことができないものであった。
【０００４】
そこで、特許文献２に示すような産後の着用において、腹部を覆う部分が隠すことのできるマタニティ用ボトムスも提案されている。
しかしながら、前記特許文献２に記載されているものは、産後の着用においてスタイリッシュに着こなすことができるが、妊娠時において腹部の下部を支えるのに充分な機能があるとは云えないものである。
【先行技術文献】
【特許文献】
【０００５】
【特許文献１】実開昭５６−７７１０号公報
【特許文献２】実用新案登録第３１２５９４３号公報
【考案の概要】
【考案が解決しようとする課題】
【０００６】
本考案は妊娠時の腹部の下部を安定して保持できるうえ産後においてもスタイリッシュに着用できるマタニティ用ボトムスを提供することを目的として完成されたものである。
【課題を解決するための手段】
【０００７】
本考案のマタニティ用ボトムスは、広幅なゴム紐を挿入して伸縮自在とした腹部の下部を支える広幅なリブ部をボトムス本体の上端に備えてなり、前記リブ部の内側に伸縮できる生地よりなる前面を高くして該前面の両側に続く側面を後に向けて低くなるように構成した腹部保護覆い部を該腹部保護覆い部の下縁を前記ボトムス本体の上端内縁に逢着して設けたことを特徴とするものである。
【０００８】
前記広幅なリブ部の幅が６０ｍｍから８０ｍｍであることが好ましいものである。また、前記伸縮できる生地がベア天竺生地であることが好ましいものである。また、前記ボトムス本体がパンツであってもスカートであっても良いものである。
【考案の効果】
【０００９】
前記した本考案のマタニティ用ボトムスは、ボトムス本体の上端に腹部の下部を支える広幅なリブ部を広幅なゴム紐を挿入して伸縮自在として構成してあるので、妊婦の妊娠初期から産前までの月数の経過による腹部の膨らみの進みに応じてリブ部が伸びて、的確に腹部の下部を支えるものである。
【００１０】
しかも、前記リブ部の内側に伸縮できる生地よりなる前面を高くして該前面の両側に続く側面を後に向けて低くなるように構成した腹部保護覆い部を該腹部保護覆い部の下縁を前記ボトムス本体の上端内縁に逢着して設けたものであるから、腹部の上部は膨らみが大きくなっても該腹部保護覆い部により守られて安心感を持つことができるものである。
【００１１】
また、前記広幅なリブ部の幅が６０ｍｍあれば充分に腹部の下部を支えることができるものである。また、８０ｍｍ以下であれば、リブ部が見た目がスッキリとしたものとなりマタニティ用ボトムスとしてはデザイン的にも優れたものである。したがって、前記広幅なリブ部の幅が６０ｍｍから８０ｍｍであることが好ましいものである。
【００１２】
また、腹部保護覆い部は腹部が当たる前面を高くして該前面に両側に続く側面を後に向けて低くなるように構成したものであるから、該腹部保護覆い部は腹部を圧迫することがないものである。しかも、該腹部保護覆い部は下縁を前記ボトムス本体の上端内縁に逢着して設けたものであるから、腹部の下部を前記広幅なリブ部と二重に保護することとなる。また、産後に着用する場合は、腹部保護覆い部は下縁を前記ボトムス本体の上端内縁に逢着して設けたものであるから、ボトム本体の内側に沿わせて隠せるので、スタイリッシュに着こなせるものである。
【００１３】
また、前記伸縮できる生地がベア天竺生地であればその柔らかさにより快適なものとなる。また、前記ボトムス本体がパンツであってもスカートであっても良いものである。
【図面の簡単な説明】
【００１４】
【図１】本考案の実施形態の一例を示す一部切欠側面図である。
【図２】同じく態様を異にして示す一部切欠側面図である。
【図３】同じく正面図である。
【図４】妊娠８ヶ月前後における着用形態を示す側面図である。
【図５】実施形態の他例を示す正面図である。
【考案を実施するための形態】
【００１５】
次に、本考案の好ましい実施形態をボトムス本体がパンツよりなるもので図面に基づいて説明する。
【００１６】
１はパンツよりなるボトムス本体であり、該ボトムス本体１の上端に腹部の下部を支える広幅なリブ部２が広幅なゴム紐２１を挿入した構成で伸縮自在として備えられている。
【００１７】
前記リブ部２の内側には、伸縮できる生地よりなる前面３１を高くして該前面３の両側に続く両側面３２、３２を後に向けて低くなるように構成した腹部保護覆い部３が該腹部保護覆い部３の下縁３ａを前記ボトムス本体１の上端内縁１１に逢着して設けたものとされている。なお、前記伸縮できる生地としてベア天竺生地よりなるものとしているが、これに限らず伸縮できる生地であれば特に限定されるものではないものである。
【００１８】
このように構成されたものは、ボトムス本体１の上端に広幅なリブ部２が広幅なゴム紐２１を挿入した構成で伸縮自在として備えたものであるから、妊婦の腹の膨らみが出る３ヶ月頃から産前までの月数の経過による腹部の膨らみの進みに応じてリブ部２が伸びて、的確に腹部の下部を支えられるので、正しい姿勢をとる事ができ、腰への負担を軽減できるものである。
【００１９】
なお、図示の実施形態ではリブ部２の幅を７５ｍｍとしている。しかし、リブ部の幅は６０ｍｍから８０ｍｍであればよいものである。すなわち、リブ部の幅が６０ｍｍあれば充分に腹部の下部を支えることができるものであり、８０ｍｍ以下であれば、リブ部が見た目がスッキリとしものとなりマタニティ用ボトムスとしてはデザイン的にも優れたものである。
【００２０】
また、前記リブ部２の内側には、伸縮できる生地よりなる腹部保護覆い部３がその下縁３ａを前記ボトムス本体１の上端内縁１１に逢着して設けたものであるので、腹部の膨らみが大きくなっても該腹部保護覆い部３により守られた安心感を持つことができるものである。
【００２１】
また、前記腹部保護覆い部３は腹部前側が当たる前面３１を高くして両側面３２、３２を後に向けて低くなるように構成したものであるから、該腹部保護覆い部３は腹部全体を圧迫することがないものである。さらに、前記伸縮できる生地がベア天竺生地であればその柔らかさにより快適な着心地となるである。
【００２２】
また、産後に着用する場合は、腹部保護覆い部３は下縁３ａを前記ボトムス本体１の上端内縁１１に逢着して設けたものであるから、腹部保護覆い部３は前記リブ部２の内面下縁より下にボトム本体１の内側に沿わせて隠すことができるので、腹部保護覆い部３がリブ部２の先端からはみ出ることなくスタイリッシュに着こなせるものである。
【００２３】
なお、図１〜図４に示す実施形態はボトムス本体１をパンツよりなるもので説明したが図５に示すスカートであっても良いことは勿論である。
【符号の説明】
【００２４】
１  ボトム本体
11  上端内縁
２  リブ部
21  広幅なゴム紐
３  腹部保護覆い部
3a  下縁
31  前面
32  側面
【図１】
0003213890.tif 000003
【図２】
0003213890.tif 000004
【図３】
0003213890.tif 000005
【図４】
0003213890.tif 000006
【図５】
0003213890.tif 000007